(57)【要約】【課題】浴室の空調を連続的に実行した場合の熱回収ロスを低減して空調運転の高効率化を図る。【解決手段】冷媒を圧縮する圧縮機１３と冷媒が供給空気に放熱する放熱器２３と冷媒を膨張させて減圧する減圧機構１５と冷媒が供給空気から吸熱する吸熱器２４とを配管接続した冷媒回路１２と、放熱器２３を介して浴室２の空気を循環させる循環ファン９と、吸熱器２４を介して浴室２の空気を屋外６に排出する換気ファン１０とを備え、浴室２内を暖房する暖房運転時に吸熱器２４において換気ファン１０により屋外６に排出される浴室２の空気から冷媒が吸熱するとともに放熱器２３において循環ファン９により循環する浴室２の空気に対して冷媒が放熱するように制御するとともに前記暖房運転中に浴室２の温度が所定値よりも高くなったら換気ファン１０の送風量を減少させるように制御する制御装置１９を設けたものである。【選択図】図３
2008232487.tif 000002
【特許請求の範囲】
【請求項１】
冷媒を圧縮する圧縮機と冷媒が供給空気に放熱する放熱器と冷媒を膨張させて減圧する減圧機構と冷媒が供給空気から吸熱する吸熱器とを配管接続した冷媒回路と、前記放熱器を介して浴室の空気を循環させる循環ファンと、前記吸熱器を介して浴室の空気を屋外に排出する換気ファンとを備え、浴室内を暖房する暖房運転時に前記吸熱器において前記換気ファンにより屋外に排出される浴室の空気から冷媒が吸熱するとともに前記放熱器において前記循環ファンにより循環する浴室の空気に対して冷媒が放熱するように制御するとともに前記暖房運転中に浴室の温度が所定値よりも高くなったら前記換気ファンの送風量を減少させるように制御する制御装置を設けたことを特徴とする、浴室空調装置。
【請求項２】
制御装置が換気ファンの送風量を段階的に減少させるように制御することを特徴とする、請求項１記載の浴室空調装置。
【請求項３】
冷媒を圧縮する圧縮機と冷媒が供給空気に放熱する放熱器と冷媒を膨張させて減圧する減圧機構と冷媒が供給空気から吸熱する吸熱器とを配管接続した冷媒回路と、前記吸熱器を介して浴室の空気を循環させる循環ファンと、前記放熱器を介して浴室の空気を屋外に排出する換気ファンとを備え、浴室内を冷房する冷房運転時に前記吸熱器において前記循環ファンにより循環する浴室の空気から冷媒が吸熱するとともに前記放熱器において前記換気ファンにより屋外に排出される浴室の空気に対して冷媒が放熱するように制御するとともに前記冷房運転中に浴室の温度が所定値よりも低くなったら前記換気ファンの送風量を減少させるように制御する制御装置を設けたことを特徴とする、浴室空調装置。
【請求項４】
制御装置が換気ファンの送風量を段階的に減少させるように制御することを特徴とする、請求項３記載の浴室空調装置。
【発明の詳細な説明】
【技術分野】
【０００１】
本発明は、ヒートポンプを利用して浴室を空調する浴室空調装置に関する。
【背景技術】
【０００２】
従来のヒートポンプを利用した浴室空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある。（例えば、特許文献１参照）。
【特許文献１】特開２００５−１８０７１２号公報
【発明の開示】
【発明が解決しようとする課題】
【０００３】
このような浴室空調装置は、浴室から屋外に排出される空気から熱を回収して浴室以外から取り入れた空気に熱を与えることにより浴室を空調するものであるが、この空調運転を連続した場合に浴室以外から取り入れる空気と浴室の空気とにエンタルピ差が生じた場合には、浴室を空調した熱（冷熱）の一部が屋外に漏洩することによる熱回収ロスが大きくなり空調効率が低下するという課題があった。
【０００４】
本発明はこのような従来の課題を解決するものであり、浴室の空調を連続的に実行した場合の熱回収ロスを低減して空調運転の高効率化を図ることができる浴室空調装置を提供することを目的としている。
【課題を解決するための手段】
【０００５】
本発明の浴室空調装置は上記目的を達成するために、冷媒を圧縮する圧縮機と冷媒が供給空気に放熱する放熱器と冷媒を膨張させて減圧する減圧機構と冷媒が供給空気から吸熱する吸熱器とを配管接続した冷媒回路と、前記放熱器を介して浴室の空気を循環させる循環ファンと、前記吸熱器を介して浴室の空気を屋外に排出する換気ファンとを備え、浴室内を暖房する暖房運転時に前記吸熱器において前記換気ファンにより屋外に排出される浴室の空気から冷媒が吸熱するとともに前記放熱器において前記循環ファンにより循環する浴室の空気に対して冷媒が放熱するように制御するとともに前記暖房運転中に浴室の温度が所定値よりも高くなったら前記換気ファンの送風量を減少させるように制御する制御装置を設けたものである。
【０００６】
また、第２の課題解決手段は、制御装置が換気ファンの送風量を段階的に減少させるように制御することを特徴とするものである。
【０００７】
また、第３の課題解決手段は、冷媒を圧縮する圧縮機と冷媒が供給空気に放熱する放熱器と冷媒を膨張させて減圧する減圧機構と冷媒が供給空気から吸熱する吸熱器とを配管接続した冷媒回路と、前記吸熱器を介して浴室の空気を循環させる循環ファンと、前記放熱器を介して浴室の空気を屋外に排出する換気ファンとを備え、浴室内を冷房する冷房運転時に前記吸熱器において前記循環ファンにより循環する浴室の空気から冷媒が吸熱するとともに前記放熱器において前記換気ファンにより屋外に排出される浴室の空気に対して冷媒が放熱するように制御するとともに前記冷房運転中に浴室の温度が所定値よりも低くなったら前記換気ファンの送風量を減少させるように制御する制御装置を設けたものである。
【０００８】
また、第４の課題解決手段は、制御装置が換気ファンの送風量を段階的に減少させるように制御することを特徴とするものである。
【発明の効果】
【０００９】
本発明の請求項１記載の発明によれば、吸熱器において換気ファンにより屋外に排出される浴室の空気から冷媒が吸熱するとともに放熱器において循環ファンにより循環する浴室の空気に対して冷媒が放熱する浴室暖房運転中に浴室の温度が所定値よりも高くなったら換気ファンの送風量を減少させるように制御することにより、吸熱器への供給風量が減少するので吸熱器におけるエンタルピ効率が向上して浴室から室外に排出される空気からの熱回収ロスが低減されてエネルギー効率が向上するとともに浴室のドアのガラリなどから吸引される空気量も減少するので暖房負荷が減少して効率の良い暖房運転が実行できるという効果のある浴室空調装置を提供できる。
【００１０】
また、請求項２記載の発明によれば、浴室暖房運転中に浴室の温度が所定値よりも高くなったら換気ファンの送風量を段階的に減少させるように制御することにより、浴室の暖房負荷に応じて熱源である排気量を制御し、排気によるエネルギーロスを低減することができるという効果のある浴室空調装置を提供できる。
【００１１】
また、請求項３記載の発明によれば、吸熱器において循環ファンにより循環する浴室の空気から冷媒が吸熱するとともに放熱器において換気ファンにより屋外に排出される浴室の空気に対して冷媒が放熱する浴室冷房運転時に浴室の温度が所定値よりも低くなったら換気ファンの送風量を減少させるように制御することにより、放熱器への供給風量が減少するので放熱器におけるエンタルピ効率が向上して浴室から室外に排出される空気への放熱ロスが低減されてエネルギー効率が向上するとともに浴室のドアのガラリなどから吸引される空気量も減少するので冷房負荷が減少して効率の良い冷房運転が実行できるという効果のある浴室空調装置を提供できる。
【００１２】
また、請求項４記載の発明によれば、浴室冷房運転中に浴室の温度が所定値よりも低くなったら換気ファンの送風量を段階的に減少させるように制御することにより、浴室の冷房負荷に応じて熱源である排気量を制御し、排気によるエネルギーロスを低減することができるという効果のある浴室空調装置を提供できる。
【発明を実施するための最良の形態】
【００１３】
本発明の請求項１記載の発明は、吸熱器において換気ファンにより屋外に排出される浴室の空気から冷媒が吸熱するとともに放熱器において循環ファンにより循環する浴室の空気に対して冷媒が放熱する浴室暖房運転中に浴室の温度が所定値よりも高くなったら換気ファンの送風量を減少させるように制御することにより、吸熱器への供給風量が減少するので吸熱器におけるエンタルピ効率が向上して浴室から室外に排出される空気からの熱回収ロスが低減されてエネルギー効率が向上するとともに浴室のドアのガラリなどから吸引される空気量も減少するので暖房負荷が減少して効率の良い暖房運転が実行できるという作用を有する。
【００１４】
また、請求項２記載の発明は、浴室暖房運転中に浴室の温度が所定値よりも高くなったら換気ファンの送風量を段階的に減少させるように制御することにより、浴室の暖房負荷に応じて熱源である排気量を制御し、排気によるエネルギーロスを低減することができるという作用を有する。
【００１５】
また、請求項３記載の発明は、吸熱器において循環ファンにより循環する浴室の空気から冷媒が吸熱するとともに放熱器において換気ファンにより屋外に排出される浴室の空気に対して冷媒が放熱する浴室冷房運転時に浴室の温度が所定値よりも低くなったら換気ファンの送風量を減少させるように制御することにより、放熱器への供給風量が減少するので放熱器におけるエンタルピ効率が向上して浴室から室外に排出される空気への放熱ロスが低減されてエネルギー効率が向上するとともに浴室のドアのガラリなどから吸引される空気量も減少するので冷房負荷が減少して効率の良い冷房運転が実行できるという作用を有する。
【００１６】
また、請求項４記載の発明は、浴室冷房運転中に浴室の温度が所定値よりも低くなったら換気ファンの送風量を段階的に減少させるように制御することにより、浴室の冷房負荷に応じて熱源である排気量を制御し、排気によるエネルギーロスを低減することができるという作用を有する。
【００１７】
（実施の形態１）
図１は、本発明の実施形態１にかかる浴室空調装置の風路構成図及び冷媒回路図である。図１に示すように、浴室空調装置の本体１は、浴室２の天井裏に設置されており、この本体１の下面には浴室２内と連通するように吸気口３および吹出口４を開口している。また、本体１の一側面には排気ダクト５が接続されており、排気ダクト５の他端は屋外６と連通している。本体１の内部には、吸気口３と吹出口４を連通する循環風路７および吸気口３と排気ダクト５を連通する換気風路８を形設しており、循環風路７内には循環ファン９を、また換気風路８内には換気ファン１０を各々配設している。
【００１８】
循環ファン９は、吸込み側が吸気口３と連通し吐出側が吹出口４と連通しているので、循環ファン９を運転すると吸気口３から浴室２内の空気を吸い込んで吹出口４から浴室２に吹き出す循環送風動作が行われる。また、換気ファン１０は吸込み側が吸気口３と連通し吐出側が排気ダクト５と連通しているので、換気ファン１０を運転すると吸気口３から浴室２内の空気を吸い込んで排気ダクト５を通じて屋外に排気する排気動作が行われる。このように換気ファン１０を運転すると浴室２内の空気が屋外に排出されて浴室２内が負圧になるので、浴室２のドアなどに設けられているガラリ１１を通じて室内の空気が吸気されて浴室２の換気が行なわれることになる。
【００１９】
また、本体１内には、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路１２を形設しており、この冷媒回路１２に、冷媒を圧縮する圧縮機１３、供給空気と冷媒とを熱交換させる第一熱交換器１４、冷媒を減圧膨張させるキャピラリチューブからなる減圧機構１５、供給空気と冷媒とを熱交換させる第二熱交換器１６を介設している。
【００２０】
この冷媒回路１２には、圧縮機１３で圧縮された冷媒が第一熱交換器１４、減圧機構１５、第二熱交換器１６の順に流れて再び圧縮機１３に戻る経路（以下、暖房サイクル）と、圧縮機１３で圧縮された冷媒が第二熱交換器１６、減圧機構１５、第一熱交換器１４の順に流れて再び圧縮機１３に戻る経路（以下、冷房サイクル）とを切り換えるための流路切換弁１７を介設している。
【００２１】
また、第一熱交換器１４は、循環風路７内に配設されており、第二熱交換器１６は、換気風路８内に配設されている。したがって第一熱交換器１４では循環ファン９により循環する浴室２の空気と冷媒とが熱交換を行い、第二熱交換器１６においては換気ファン１０により屋外に排出される浴室２の空気と冷媒との熱交換が行われることになる。
【００２２】
また、吸気口３近傍に浴室２の温度を検出する温度センサ１８を配設するとともに、本体１の内部に、循環ファン９、換気ファン１０、圧縮機１３および流路切換弁１７の作動を制御するための制御装置１９を設けている。制御装置１９は、図示しないリモコンからの運転指示および温度センサ１８の検出値に基づいて循環ファン９および換気ファン１０の回転数、圧縮機１３の運転停止、流路切換弁１７の切換動作を実行するものであり、温度センサ１８、循環ファン９、換気ファン１０、圧縮機１３および流路切換弁１７の各々と配線接続される制御基板などから構成されている。
【００２３】
図２は、浴室空調装置の運転パターンにおける動作状態を示す一覧表である。図に示した一覧表は浴室空調装置の各運転パターンを列方向に記載しており、その各々の運転パターンにおける循環ファン９、換気ファン１０、圧縮機１３、流路切換弁１７の作動状態を行方向に記載している。この浴室空調装置は、一覧表に示すように換気運転２０、暖房運転２１、冷房運転２２の３種類の運転パターンを実行することが可能となっている。
【００２４】
換気運転２０は、入浴後に浴室２内を乾燥する場合などに選択される運転パターンであり、この換気運転２０時は、換気ファン１０を所定の換気量が確保可能な風量にて運転し、循環ファン９、圧縮機１３を「停止」状態に設定する。したがって浴室２に開口した吸気口３から必要換気量に相当する所定量の空気が換気風路８を通って換気ファン１０に吸込まれ排気ダクト５を通じて屋外に排出される。この排出量に相当する新鮮な空気がガラリ１１から取り入れられて排出空気と入れ替わることにより浴室２の換気が行われることになる。
【００２５】
また、暖房運転２１は、冬場等の気温の低い季節に入浴前に浴室２内を暖房してヒートショックを軽減し、また、入浴時に在室者が寒さを感じずに快適に入浴できるように浴室２内を暖房する場合に選択される運転パターンである。この暖房運転２１を実行する場合は、循環ファン９を使用者が設定した風量で運転するとともに圧縮機１３を運転させる。また、流路切換弁１７を「暖房サイクル側」に設定し、換気ファン１０の風量は、温度センサ１８の検出値に基づき設定する。この暖房運転２１時の動作の詳細は後述する。
【００２６】
また、冷房運転２２は、夏場などの高温時に在室者が浴室２内の温度を下げて快適に入浴や清掃作業が行えるように浴室２内を冷房する場合に選択される運転パターンである。この冷房運転２２を実行する場合は、暖房運転２１時と同様に循環ファン９を使用者が設定した風量で運転するとともに圧縮機１３を運転させる。また、流路切換弁１７を「冷房サイクル側」に設定し、換気ファン１０の風量は、温度センサ１８の検出値に基づき設定する。この冷房運転２２時の動作の詳細についても後述する。
【００２７】
図３は、浴室空調装置の暖房運転時の空気および冷媒の流れを示す風路構成図及び冷媒回路図である。暖房運転２１時は、制御装置１９が循環ファン９を使用者が設定した風量で運転し、流路切換弁１７を暖房サイクル側に切り換え、換気ファン１０を温度センサ１８の検出値に基づき運転するとともに圧縮機１３を作動させる。これにより、圧縮機１３で圧縮された高温高圧の冷媒が暖房サイクル側に設定されている流路切換弁１７を通り、第一熱交換器１４に導かれる。第一熱交換器１４には循環ファン９が設定風量で運転しているため、吸気口３から本体１内に吸い込まれた浴室２の空気が供給される。このため第一熱交換器１４に供給される浴室２の空気と冷媒との熱交換が行われて冷媒が供給空気に放熱する。この放熱により空気は加熱されて吹出口４から浴室２に排出される。
【００２８】
一方、第一熱交換器１４で放熱した冷媒は、減圧機構１５に導かれてキャピラリチューブを通過する際に減圧膨張し第二熱交換器１６に導かれる。第二熱交換器１６には換気ファン１０の運転により吸気口３を通じて浴室２の空気が供給されるため、冷媒がこの供給空気から吸熱する。第二熱交換器１６において浴室２の空気から吸熱した冷媒は、流路切換弁１７を通って圧縮機１３に戻り冷媒回路１２内を循環する。一方、第二熱交換器１６に供給された浴室２の空気は、冷媒に吸熱されてエンタルピが低下した後、排気ダクト５から屋外６に排出される。
【００２９】
このような運転動作を行うことにより浴室２内の温度が上昇し暖房運転２１が実行される。上記暖房運転２１においては、第一熱交換器１４が供給空気、すなわち循環ファン９により送風される浴室２の空気に対して冷媒が放熱する放熱器２３となり、第二熱交換器１６が、供給空気すなわち換気ファン１０により送風される浴室２の空気から冷媒が吸熱する吸熱器２４となる。放熱器２３は冷凍サイクルにおけるいわゆる凝縮器であり、吸熱器２４は冷凍サイクルにおけるいわゆる蒸発器である。
【００３０】
図４は、暖房運転時における温度センサ１８の検出値と換気ファン１０の回転数の関係を示すタイムチャートである。図４に示したタイムチャートの横軸は時刻、縦軸は、温度センサ１８の検出値２５および換気ファン１０の回転数２６、すなわち換気ファン１０の風量を示している。温度センサ１８は本体１の吸気口３近傍に付設されており、暖房運転２１時には循環ファン９ならびに換気ファン１０が作動して吸気口３から浴室２の空気を吸引するので、温度センサ１８が浴室２内の空気温度をセンシングして検出値２５として出力するように動作することになる。
【００３１】
図４のタイムチャートにおける横軸の目盛２７で示す時刻Ｘ０から暖房運転２１が開始されており、この暖房運転２１によって浴室２の温度である検出値２５は、縦軸の目盛２８で示す初期値Ｔ０、例えば２０℃から徐徐に上昇していく。また、換気ファン１０は、暖房運転開始前は停止しており、換気ファン１０の回転数２６は目盛２９で示す初期値Ｖ０、すなわち０回転に設定されている。そして暖房運転２１が開始されると制御装置１９から換気ファン１０の運転指示が出されて、縦軸の目盛３０で示す設定値Ｖ３で運転することになる。
【００３２】
これにより吸熱器２４に浴室２の空気が供給されて冷媒が吸熱する。つまり吸熱器２４で吸熱された後の空気は、浴室２の温度２０℃よりも低い温度、例えば５℃程度になって屋外６に排出される。この温度差に相当する吸熱量分を放熱器２３において循環ファン９により循環する浴室２の空気に放熱することにより暖房運転が実行される。また、換気ファン１０により浴室２の空気が屋外６に排出されることにより浴室２内にガラリ１１から隣接した部屋、例えば脱衣所などの空気が吸気されることになるが、このガラリ１１から吸気される空気の温度は、浴室２の初期温度Ｔ０と同等の２０℃程度である。
【００３３】
このような暖房運転２１を継続すると浴室２の温度は上昇していくが、その上昇幅は、時間経過とともに小さくなっていく。これは、換気ファン１０により吸熱器２４に供給される浴室２内の空気温度が暖房運転２１によって上昇するに従い吸熱器２４を通過した後の屋外６に排出される空気の温度も上昇していくことによるものである。例えば、浴室２の空気温度が暖房運転２１開始時の２０℃の場合に吸熱器２４で吸熱された後の空気温度が５℃であり、暖房運転２１がしばらく実行されて浴室２の空気温度が２５℃に上昇した場合の吸熱器２４で吸熱された後の空気温度が８℃になったとすると、ガラリ１１から吸気される隣室の２０℃の空気と吸熱器２４で吸熱されて屋外６に排出される空気との温度差は、暖房運転２１開始時が１５℃、暖房運転２１により浴室温度が２５℃に上昇した場合は１２℃に減少することになる。浴室２全体に対しては、この温度差１５℃から１２℃の減少分に相当する投入熱量が減少することになるので、浴室２の温度の上昇幅が時間経過とともに小さくなっていくことになるのである。
【００３４】
そこで制御装置１９は、温度センサ１８の検出値２５が目盛３１で示す所定値Ｔ１、例えば３０℃に到達した時点で換気ファン１０の回転数２６を現状の設定値Ｖ３よりも低い目盛３２で示す設定値Ｖ２に変更する。これにより換気ファン１０の風量が減少し、吸熱器２４におけるエンタルピ交換効率が向上して吸熱器２４を通過した後の空気温度が低下し、ガラリ１１からの吸引される隣室の空気温度との温度差が拡大して換気による熱回収ロスの低減が図られることになる。さらに換気ファン１０の風量の減少によりガラリ１１から侵入する冷熱量も減少するので放熱器２３における放熱量が減少しても浴室２の暖房効果が高まることになる。
【００３５】
さらに暖房運転２１を連続して、温度センサ１８の検出値２５が目盛３３で示す所定値Ｔ２、例えば３５℃に到達した場合には、制御装置１９が換気ファン１０の回転数２６を今までの設定値Ｖ２よりも更に低い目盛３４で示す設定値Ｖ１に変更する。これにより換気ファン１０の風量が更に減少し、吸熱器２４におけるエンタルピ交換効率が更に向上して吸熱器２４を通過した後の空気温度が低下し、ガラリ１１からの吸気温度との温度差が確保されて換気による熱回収ロスの低減が図られる。換気ファン１０の風量減少に伴いガラリ１１から侵入する冷熱量も更に減少するので放熱器２３における放熱量が減少しても浴室２の暖房効果が高まり、浴室２の温度が上昇することになる。
【００３６】
このようにして暖房運転２１中に浴室２の温度が所定値よりも高くなったら換気ファン１０の送風量を段階的に減少させるように制御することにより、浴室２の暖房環境を維持しつつ吸熱器２４への供給風量を減少させて吸熱器２４におけるエンタルピ効率を向上し、浴室２から屋外６に排出される空気からの熱回収ロスを削減してエネルギー効率を向上するとともに浴室２のドアのガラリ１１などから吸引される空気量も減少するので暖房負荷が減少して効率の良い暖房運転を実行することができることになる。
【００３７】
また、暖房運転により浴室２の温度が上昇するに従い、ガラリ１１からの吸気量が減少するので入浴者に対する吸気風速によるドラフト感が減少して快適性も向上することができる。
【００３８】
図５は、浴室空調装置の冷房運転時の空気および冷媒の流れを示す風路構成図及び冷媒回路図である。冷房運転２２時は、制御装置１９が循環ファン９を使用者が設定した風量で運転し、流路切換弁１７を冷房サイクル側に切り換え、換気ファン１０を温度センサ１８の検出値に基づき運転するとともに圧縮機１３を作動させる。これにより、圧縮機１３で圧縮された高温高圧の冷媒が冷房サイクル側に設定されている流路切換弁１７を通り、第二熱交換器１６に導かれる。第二熱交換器１６には換気ファン１０の運転により吸気口３を通じて浴室２の空気が供給され、冷媒がこれら供給空気に対して放熱する。第二熱交換器１６において冷媒の放熱により高温となった浴室２の空気は排気ダクト５を通って屋外６に排出される。
【００３９】
一方、第二熱交換器１６で放熱した冷媒は、減圧機構１５に導かれてキャピラリチューブを通過する際に減圧膨張し、第一熱交換器１４に導かれる。第一熱交換器１４には、循環ファン９が設定風量で運転しているため、吸気口３を通じて浴室２の空気が供給され、冷媒が供給される浴室２の空気から吸熱する。第一熱交換器１４で吸熱した冷媒は、流路切換弁１７を通って圧縮機１３に戻り冷媒回路１２内を循環する。一方、第一熱交換器１４に供給された浴室２の空気は冷媒の吸熱により低温となって吹出口４から浴室２に戻る。このような空気循環を繰り返すことにより浴室２内の温度が低下して冷房運転２２が実行される。
【００４０】
上記冷房運転２２においては、第一熱交換器１４が供給空気すなわち、循環ファン９により送風される浴室２の空気から冷媒が吸熱する吸熱器２４となり、第二熱交換器１６が供給空気、すなわち換気ファン１０により送風される浴室２の空気に対して冷媒が放熱する放熱器２３となる。
【００４１】
図６は、冷房運転時における温度センサ１８の検出値と換気ファン１０の回転数の関係を示すタイムチャートであり、縦軸および横軸は、図４の暖房運転時のタイムチャートと同様である。図６のタイムチャートにおける横軸の目盛３５で示す時刻Ｘ０から冷房運転２２が開始されており、この冷房運転２２によって浴室２の温度である検出値２５は、縦軸の目盛３６で示す初期値Ｔ０、例えば３５℃から徐徐に低下していく。また、換気ファン１０は、冷房運転２２開始前は停止しており、換気ファン１０の回転数は目盛３７で示す初期値Ｖ０、すなわち０回転に設定されている。そして冷房運転２２が開始されると制御装置１９から換気ファン１０の運転指示が出されて、縦軸の目盛３８で示す設定値Ｖ３で運転することになる。
【００４２】
これにより放熱器２３に浴室２の空気が供給されて冷媒が放熱する。つまり放熱器２３で冷媒の放熱により加熱された後の空気は、浴室２の温度３５℃よりも高い温度、例えば４５℃程度になって屋外６に排出される。この温度差に相当する放熱量分を吸熱器２４において循環ファン９により循環する浴室２の空気から冷媒が吸熱することにより冷房運転が実行される。また、換気ファン１０により浴室２の空気が屋外６に排出されることにより浴室２内にガラリ１１から隣接した部屋、例えば脱衣所などの空気が吸気されることになるが、このガラリ１１から吸気される空気の温度は、浴室２の初期温度Ｔ０と同等の３５℃程度である。
【００４３】
このような冷房運転２２を継続すると浴室２の温度は下降していくが、その下降幅は、時間経過とともに小さくなっていく。これは、換気ファン１０により放熱器２３に供給される浴室２内の空気温度が冷房運転２２によって下降するに従い放熱器２３を通過した後の屋外６に排出される空気の温度も下降していくことによるものである。例えば、浴室２の空気温度が冷房運転２２開始時の３５℃の場合に放熱器２３で加熱された後の空気温度が５０℃であり、冷房運転２２がしばらく実行されて浴室２の空気温度が３０℃に低下した場合の放熱器２３で加熱された後の空気温度が４７℃になったとすると、ガラリ１１から吸気される隣室の３５℃の空気と放熱器２３で加熱されて屋外６に排出される空気との温度差は、冷房運転２２開始時が１５℃、冷房運転２２により浴室温度が３０℃に低下した場合は１２℃に減少することになる。浴室２全体に対しては、この温度差１５℃から１２℃の減少分に相当する排出熱量が減少することになるので、浴室２の温度の下降幅が時間経過とともに小さくなっていくことになるのである。
【００４４】
そこで制御装置１９は、温度センサ１８の検出値２５が目盛３９で示す所定値Ｔ１、例えば３０℃に到達した時点で換気ファン１０の回転数２６を現状の設定値Ｖ３よりも低い目盛４０で示す設定値Ｖ２に変更する。これにより換気ファン１０の風量が減少し、放熱器２３におけるエンタルピ交換効率が向上して放熱器２３を通過した後の空気温度が上昇し、ガラリ１１からの吸引される隣室の空気温度との温度差が拡大して換気による放熱ロスの低減が図られることになる。さらに換気ファン１０の風量の減少によりガラリ１１から侵入する熱量も減少するので吸熱器２４における吸熱量が減少しても浴室２の冷房効果が高まることになる。
【００４５】
さらに冷房運転２２を連続して、温度センサ１８の検出値２５が目盛４１で示す所定値Ｔ２、例えば２５℃に到達した場合には、制御装置１９が換気ファン１０の回転数２６を今までの設定値Ｖ２よりも更に低い目盛４２で示す設定値Ｖ１に変更する。これにより換気ファン１０の風量が更に減少し、放熱器２３におけるエンタルピ交換効率が更に向上して放熱器２３を通過した後の空気温度が上昇し、ガラリ１１からの吸気温度との温度差が確保されて換気による放熱ロスの低減が図られる。換気ファン１０の風量減少に伴いガラリ１１から侵入する熱量も更に減少するので吸熱器２４における吸熱量が減少しても浴室２の冷房効果が高まり、浴室２の温度が低下することになる。
【００４６】
このようにして冷房運転２２中に浴室２の温度が所定値よりも低くなったら換気ファン１０の送風量を段階的に減少させるように制御することにより、浴室２の冷房環境を維持しつつ放熱器２３への供給風量を減少させて放熱器２３におけるエンタルピ効率を向上し、浴室２から屋外６に排出される空気への放熱ロスを削減してエネルギー効率を向上するとともに浴室２のドアのガラリ１１などから吸引される空気量も減少するので冷房負荷が減少して効率の良い冷房運転を実行することができることになる。
【００４７】
以上説明した内容は、発明を実施するための一形態についてのみ説明したものであり、本発明は上記実施の形態に限定されるものではない。
【００４８】
例えば、上記実施の形態では、制御装置１９が温度センサ１８の検出値２５に基づいて換気ファン１０の回転数２６を三段階に変更する制御方法を示したが、換気ファン１０の風量調整方法はこれに限定されるものではない。例えば、二段階に風量を変更するように制御してもよく、また、四段階以上に制御するように構成してもよい。また、換気ファン１０の駆動源としてＤＣモータを使用し、リニアに風量を変更するように制御しても良い。
【００４９】
また、上記実施の形態では、減圧機構１５としてキャピラリチューブを設ける構成を示したが、減圧機構１５は、冷媒を減圧膨張させるものであれば良く、電子式膨張弁などを介在される構成としても良い。
【産業上の利用可能性】
【００５０】
以上のように本発明にかかる浴室空調装置は、浴室の空調を連続的に実行した場合の熱回収ロスを低減して空調運転の高効率化を図ることができるものであり、浴室の空調のみならず、リビング、寝室、キッチンあるいは洗面所の空調装置などにも適用することができる。
【図面の簡単な説明】
【００５１】
【図１】本発明の実施形態１にかかる浴室空調装置の浴室空調装置の風路構成図及び冷媒回路図
【図２】同浴室空調装置の各運転パターンにおける動作状態を示す一覧を示す図
【図３】同浴室空調装置の暖房運転時の空気および冷媒の流れを示す風路構成図及び冷媒回路図
【図４】同浴室空調装置の暖房運転時における温度センサの検出値と換気ファンの回転数の関係を示すタイムチャート
【図５】同浴室空調装置の冷房運転時の空気および冷媒の流れを示す風路構成図及び冷媒回路図
【図６】同浴室空調装置の冷房運転時における温度センサの検出値と換気ファンの回転数の関係を示すタイムチャート
【符号の説明】
【００５２】
２    浴室
９    循環ファン
１０  換気ファン
１２  冷媒回路
１３  圧縮機
１５  減圧機構
１９  制御装置
２１  暖房運転
２２  冷房運転
２３  放熱器
２４  吸熱器
【図１】
2008232487.tif 000003
【図２】
2008232487.tif 000004
【図３】
2008232487.tif 000005
【図４】
2008232487.tif 000006
【図５】
2008232487.tif 000007
【図６】
2008232487.tif 000008